【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
通信装置との通信セッションの維持に関する判定のために前記通信装置の認証を行う第１の通信プロトコル、及び、前記通信装置の認証をせずに前記通信装置と通信を行う第２の通信プロトコルを用いて前記通信装置との通信を行う通信手段と、
前記第１の通信プロトコルに基づく前記通信装置の認証成功に応じた期間においては、前記第１の通信プロトコルに基づいて構築された通信セッションの維持に関する判定を前記第１の通信プロトコルによる通信状況と前記第２の通信プロトコルによる通信状況とに基づいて行い、前記第１の通信プロトコルに基づく前記通信装置の認証失敗に応じた期間においては、前記第１の通信プロトコルに基づいて構築された通信セッションの維持に関する判定を前記第２の通信プロトコルによる通信状況によらず行う制御手段と、
を有することを特徴とする通信制御装置。
【請求項２】
前記第１の通信プロトコルに基づいてアクセスした前記通信装置が通信セッションを構築することを許可する通信装置であると判定される場合は認証成功と判定し、
前記第１の通信プロトコルに基づいてアクセスした前記通信装置が通信セッションを構築することを許可しない通信装置であると判定される場合は認証失敗と判定する判定手段を有することを特徴とする請求項１に記載の通信制御装置。
【請求項３】
前記認証成功に応じた期間とは、前記通信装置の認証に成功したと判定されたタイミングから、前記通信装置の認証に失敗したと判定されたタイミングまでに応じた期間であることを特徴とする請求項１又は２に記載の通信制御装置。
【請求項４】
前記認証失敗に応じた期間とは、前記通信装置の認証に失敗したと判定されたタイミングから、前記通信装置の認証に成功したと判定されたタイミングまでに応じた期間であることを特徴とする請求項１乃至３のうち、何れか１項に記載の通信制御装置。
【請求項５】
前記制御手段は、前記通信装置の認証成功に応じた期間においては、前記第１及び第２の通信プロトコルの何れかに基づくデータの受信から所定時間内に前記第１及び第２の通信プロトコルのうち少なくとも何れかに基づくデータが受信された場合には前記通信セッションを維持する一方、前記通信装置の認証失敗に応じた期間においては、前記第１の通信プロトコルに基づくデータの受信から前記所定時間内に前記第１の通信プロトコルに基づく認証が成功しなかった場合には前記通信セッションを切断することを特徴とする請求項１乃至４のうち、何れか１項に記載の通信制御装置。
【請求項６】
前記通信手段は、前記通信装置から第１のデータ及び前記第１のデータよりも後に受信される第２のデータを前記第１の通信プロトコルを用いて受信し、
前記制御手段は、前記第１のデータが受信されてから所定時間が経過するまでに前記第２のデータを受信し、かつ、前記第２のデータを送信した前記通信装置が所定の通信装置であると認証された場合には、前記通信装置との通信セッションを維持するように制御することを特徴とする請求項１に記載の通信制御装置。
【請求項７】
前記制御手段は、前記通信装置の認証成功に応じた期間における前記第１又は第２の通信プロトコルを用いたデータの受信に応じて、データ受信時刻を更新し、前記更新されたデータ受信時刻からの経過時間が所定時間に達すると、前記通信セッションを切断することを特徴とする請求項１に記載の通信制御装置。
【請求項８】
前記データ受信時刻をメモリに記憶させる記憶制御手段を有することを特徴とする請求項７に記載の通信制御装置。
【請求項９】
前記制御手段は、前記通信装置の認証失敗に応じた期間において前記第２の通信プロトコルを用いたデータの受信をしても、前記データ受信時刻を更新しないことを特徴とする請求項７又は８に記載の通信制御装置。
【請求項１０】
通信装置との通信セッションの維持に関する判定のために前記通信装置の認証を行う第１の通信プロトコル、及び、前記通信装置の認証をせずに前記通信装置との通信を行う第２の通信プロトコルを用いて前記通信装置との通信を行う通信手段を有する通信装置の制御方法であって、
前記第１の通信プロトコルに基づく前記通信装置の認証成功に応じた期間においては、前記第１の通信プロトコルに基づいて構築された通信セッションの維持に関する判定を前記第１の通信プロトコルによる通信状況と前記第２の通信プロトコルによる通信状況とに基づいて行い、前記第１の通信プロトコルに基づく前記通信装置の認証失敗に応じた期間においては、前記第１の通信プロトコルに基づいて構築された通信セッションの維持に関する判定を前記第２の通信プロトコルによる通信状況によらず行う制御ステップを有することを特徴とする通信制御方法。
【請求項１１】
前記通信装置から第１のデータ及び前記第１のデータよりも後に受信される第２のデータを前記第１の通信プロトコルを用いて受信する場合、
前記制御ステップにおいて、前記第１のデータが受信されてから第１の所定時間が経過するまでに前記第２のデータを受信し、かつ、前記第２のデータを送信した前記通信装置が所定の通信装置であると認証された場合には、前記通信装置との通信セッションを維持するように制御することを特徴とする請求項１０に記載の通信制御方法。
【請求項１２】
前記通信装置から第１のデータを前記第１の通信プロトコルを用いて受信し、かつ、前記第１のデータを送信した前記通信装置が所定の通信装置であると認証された場合には、前記第１のデータを受信した時刻を保持手段に保持し、前記通信装置から第１のデータを前記第１の通信プロトコルを用いて受信し、かつ、前記通信装置が所定の通信装置であると認証されない場合には、前記第１のデータを受信した時刻を前記保持手段に保持しない保持ステップを有し、
前記制御ステップにおいて、前記第２のデータを送信した前記通信装置が前記所定の通信装置であると認証され、かつ、前記保持手段に保持された時刻から所定時間が経過するまでに第２のデータを前記第１の通信プロトコルを用いて受信した場合には、前記通信装置との通信セッションを維持するように制御する
ことを特徴とする請求項１０に記載の通信制御方法。
【請求項１３】
前記第１の通信プロトコルにより前記通信装置が所定の通信装置であると認証された状態で前記通信装置から第３のデータを前記第２の通信プロトコルを用いて受信した場合には、前記第３のデータを受信した時刻を保持手段に保持し、前記通信装置から第３のデータを前記第２の通信プロトコルを用いて受信し、かつ、前記第１の通信プロトコルにより前記通信装置が所定の通信装置であると認証されていない状態である場合には、前記第３のデータを受信した時刻を前記保持手段に保持しない保持ステップを有し、
前記制御ステップにおいて、前記保持手段に保持された時刻から所定時間が経過するまでに第４のデータを前記第２の通信プロトコルを用いて受信した場合には、前記通信装置との通信セッションを維持するように制御する
ことを特徴とする請求項１０に記載の通信制御方法。
【請求項１４】
前記制御ステップにおいて、前記第１の通信プロトコルにより前記通信装置が所定の通信装置であると認証されなかった第１の時刻から前記第１の通信プロトコルにより前記通信装置が所定の通信装置であると認証された第２の時刻までの期間には前記第２の通信プロトコルにより前記通信装置との通信セッションを維持することを制限し、前記第２の時刻以後は前記第２の通信プロトコルにより前記通信装置との通信セッションを維持する制御を行うことを特徴とする請求項１０に記載の通信制御方法。
【請求項１５】
コンピュータを、請求項１乃至９のうち何れか１項に記載の通信制御装置の各手段として動作させるためのプログラム。
【手続補正２】
【補正対象書類名】明細書
【補正対象項目名】００２１
【補正方法】変更
【補正の内容】
【００２１】
すなわち、通信装置との通信セッションの維持に関する判定のために前記通信装置の認証を行う第１の通信プロトコル、及び、前記通信装置の認証をせずに前記通信装置と通信を行う第２の通信プロトコルを用いて前記通信装置との通信を行う通信手段と、前記第１の通信プロトコルに基づく前記通信装置の認証成功に応じた期間においては、前記第１の通信プロトコルに基づいて構築された通信セッションの維持に関する判定を前記第１の通信プロトコルによる通信状況と前記第２の通信プロトコルによる通信状況とに基づいて行い、前記第１の通信プロトコルに基づく前記通信装置の認証失敗に応じた期間においては、前記第１の通信プロトコルに基づいて構築された通信セッションの維持に関する判定を前記第２の通信プロトコルによる通信状況によらず行う制御手段とを有する。